(57)【要約】【課題】  包装容器の内側容器に収容される内容物をより見やすくするための技術を提供すること。【解決手段】  包装容器は、内容物を収容するための内側容器と、内側容器を収容するように構成される外側容器と、を備える。内側容器は、包装容器の底面を構成する底部と、底部から伸びる第１側壁部と、を備える。第１側壁部は、底部から第１側壁部の上端まで伸びる２本の破断線によって画定される第１破断部を有する。外側容器は、内側容器の第１側壁部に接触する第２側壁部を備える。第２側壁部は、第２側壁部の下端から上方に向かって伸びる２本の破断線によって画定される第２破断部を有する。第１破断部と第２破断部とは固定されている。【選択図】  図１１
2020045164.tif 000002
【特許請求の範囲】
【請求項１】
包装容器であって、
内容物を収容するための内側容器と、
前記内側容器を収容するように構成される外側容器と、
を備え、
前記内側容器は、前記包装容器の底面を構成する底部と、前記底部から伸びる第１側壁部と、を備え、
前記第１側壁部は、前記底部から前記第１側壁部の上端まで伸びる２本の破断線によって画定される第１破断部を有し、
前記外側容器は、前記内側容器の前記第１側壁部に接触する第２側壁部を備え、
前記第２側壁部は、前記第２側壁部の下端から上方に向かって伸びる２本の破断線によって画定される第２破断部を有し、
前記第１破断部と前記第２破断部とは固定されている、包装容器。
【請求項２】
前記第１側壁部の前記２本の破断線のそれぞれは、前記底部から前記第１側壁部の上端に向かうにつれて前記第１側壁部の外側方向に傾斜している、請求項１に記載の包装容器。
【請求項３】
前記内側容器は、さらに、前記底部から伸びる第３側壁部であって、前記第１側壁部に対向する前記第３側壁部を備え、
前記第３側壁部は、前記底部から上方に向かって伸びる２本の破断線によって画定される第３破断部を有し、
前記外側容器は、さらに、前記内側容器の前記第３側壁部に接触する第４側壁部であって、前記第２側壁部に対向する前記第４側壁部を備え、
前記第４側壁部は、前記第４側壁部の下端から上方に向かって伸びる２本の破断線によって画定される第４破断部を有し、
前記第３破断部と前記第４破断部とは固定されている、請求項１又は２に記載の包装容器。
【請求項４】
前記外側容器は、さらに、
前記第２側壁部に対して直交すると共に前記第２側壁部に連続する第５側壁部と、
前記第２側壁部と前記第５側壁部との間に形成されている切り欠き部と、を備える、請求項１から３のいずれか一項に記載の包装容器。
【請求項５】
前記内側容器の前記底部は、前記第１破断部の下端に沿って形成されている孔を備える、請求項１から４のいずれか一項に記載の包装容器。
【発明の詳細な説明】
【技術分野】
【０００１】
本明細書は、内側容器と、内側容器を収容するように構成される外側容器と、を備える包装容器に関する。
【背景技術】
【０００２】
特許文献１には、販売用陳列ケースとなる本体と、本体の上部の開口を閉塞する蓋体と、を備える包装箱が開示されている。本体は、底部と左側板と正面板と右側板と背面板とを備える。本体の正面板は、正面板の上端から正面板の中央部分まで伸びる破断線によって区画される正面分離板を有する。蓋体は、蓋板と左側板と正面板と右側板と背面板とを備える。蓋体の正面板は、正面板の下端から上方に向かって伸びる破断線によって区画される正面分離板を有する。本体の正面分離板と蓋体の正面分離板とは糊付けされている。蓋体の正面分離板を破断するための力が加えられると、蓋体の正面分離板とともに本体の正面分離板も破断される。これにより、本体と蓋体とを分離することができる。
【先行技術文献】
【特許文献】
【０００３】
【特許文献１】特開２０１３−２２４１７１号公報
【特許文献２】特開２００８−１６２６５９号公報
【発明の概要】
【発明が解決しようとする課題】
【０００４】
上記のように本体が販売用陳列ケースとなる包装箱では、本体に収容される内容物を顧客により見やすいようにすることが望まれる。本明細書では、包装容器の内側容器に収容される内容物をより見やすくするための技術を開示する。
【課題を解決するための手段】
【０００５】
本明細書によって開示される包装容器は、内容物を収容するための内側容器と、前記内側容器を収容するように構成される外側容器と、を備え、前記内側容器は、前記包装容器の底面を構成する底部と、前記底部から伸びる第１側壁部と、を備え、前記第１側壁部は、前記底部から前記第１側壁部の上端まで伸びる２本の破断線によって画定される第１破断部を有し、前記外側容器は、前記内側容器の前記第１側壁部に接触する第２側壁部を備え、前記第２側壁部は、前記第２側壁部の下端から上方に向かって伸びる２本の破断線によって画定される第２破断部を有し、前記第１破断部と前記第２破断部とは固定されていてもよい。
【０００６】
上記の構成によると、内側容器の第１破断部と外側容器の第２破断部とが固定されているので、第１破断部と第２破断部とを同時的に破断させることができる。そして、第１破断部は、底部から第１側壁部の上端まで伸びる２本の破断線によって画定される。従って、第１破断部を破断させることによって、底部から上端まで伸びる大きな開口を第１側壁部に形成することができる。これにより、内側容器に収容される内容物を、開口を介して、より見やすくすることができる。
【０００７】
前記第１側壁部の前記２本の破断線のそれぞれは、前記底部から前記第１側壁部の上端に向かうにつれて前記第１側壁部の外側方向に傾斜していてもよい。上記の構成によると、第１破断部が破断されることによって形成される開口が、底部から上端に向かうにつれて広くなる。これにより、外部から見える内容物の範囲が広くなる。従って、包装容器の内側容器に収容される内容物をより見やすくすることができる。
【０００８】
前記内側容器は、さらに、前記底部から伸びる第３側壁部であって、前記第１側壁部に対向する前記第３側壁部を備え、前記第３側壁部は、前記底部から上方に向かって伸びる２本の破断線によって画定される第３破断部を有し、前記外側容器は、さらに、前記内側容器の前記第３側壁部に接触する第４側壁部であって、前記第２側壁部に対向する前記第４側壁部を備え、前記第４側壁部は、前記第４側壁部の下端から上方に向かって伸びる２本の破断線によって画定される第４破断部を有し、前記第３破断部と前記第４破断部とは固定されていてもよい。上記の構成によると、内側容器の第３側壁部が有する第３破断部と、外側容器の第２側壁部に対向する第４側壁部が有する第４破断部と、が固定されている。このために、第１側壁部と第２側壁部とが固定されている状態と、第１側壁部に対向する第３側壁部と第２側壁部に対向する第４側壁部とが固定されている状態と、が実現される。従って、内側容器と外側容器とが意図せず分離することを抑制することができる。そして、第１破断部と第２破断部とを同時的に破断させ、かつ、第３破断部と第４破断部とを同時的に破断させることによって、外側容器を内側容器から分離させることができる。
【０００９】
前記外側容器は、さらに、前記第２側壁部に対して直交すると共に前記第２側壁部に連続する第５側壁部と、前記第２側壁部と前記第５側壁部との間に形成されている切り欠き部と、を備えてもよい。一般的に、内側容器を収容する外側容器は、内側容器に密着するように設計される。しかしながら、外側容器を内側容器に密着させると、外側容器から内側容器に力が加えられ、内側容器と外側容器とを分離することが困難となる場合がある。上記の構成によると、外側容器の第２側壁部と第５側壁部との間に切り欠き部が形成されている。これにより、内側容器と外側容器とを密着させても、外側容器から内側容器に加えられる力を切り欠き部から包装容器の外部に逃がすことができる。内側容器と外側容器とを分離することが困難となることを抑制し得る。
【００１０】
前記内側容器の前記底部は、前記第１破断部の下端に沿って形成されている孔を備えてもよい。上記の構成によると、ユーザは、当該孔に指を挿入して第１破断部の下端を保持することができるので、第１破断部を容易に破断させることができる。
【図面の簡単な説明】
【００１１】
【図１】第１実施例の包装容器の斜視図を示す。
【図２】第１実施例の包装容器の正面図を示す。
【図３】第１実施例の包装容器の右側面図を示す。
【図４】第１実施例の包装容器の背面図を示す。
【図５】第１実施例の包装容器の左側面図を示す。
【図６】第１実施例の包装容器の平面図を示す。
【図７】第１実施例の包装容器の底面図を示す。
【図８】第１実施例の外側容器の展開図を示す。
【図９】第１実施例の内側容器の展開図を示す。
【図１０】第１実施例の包装容器の開封方法を説明するための斜視図を示す。
【図１１】図１１に続く第１実施例の包装容器の開封方法を説明するための斜視図を示す。
【図１２】第１実施例の内側容器の斜視図を示す。
【図１３】第２実施例の外側容器の展開図を示す。
【図１４】第２実施例の内側容器の展開図を示す。
【００１２】
（第１実施例）
図１〜図１２を参照して、第１実施例の包装容器２の構造を説明する。図面及び以下の説明では、前後上下左右を規定しているが、理解の容易化のために便宜的に規定したものである。前後上下左右の各方向は、図１で示す方向に合わせて、図２以降も規定されている。
【００１３】
包装容器２は、食品、日用品等の内容物を収容するための容器である。図１は、封緘される前の包装容器２の斜視図を示す。包装容器２の上方の開口から内容物が包装容器２内に収容された後に、例えばテープ等を用いて包装容器２が封緘される。封緘された後の包装容器２は、略直方体形状を有する。
【００１４】
包装容器２は、内容物を収容するための内側容器５０（図１１参照）と、内側容器５０を収容するための外側容器１０と、を備える。外側容器１０及び内側容器５０は、例えば段ボール紙から成形されるが、段ボール紙以外の紙から成形されてもよい。また、外側容器１０及び内側容器５０は、紙に限定されず、プラスチック等から成形されてもよい。さらに、外側容器１０と内側容器５０とが異なる材料から成形されてもよい。
【００１５】
図２は、包装容器２の正面図を示す。包装容器２の正面は、外側容器１０の外側正面板１２によって構成されている。外側正面板１２は、破断部１３を有する。破断部１３は、外側正面板１２の下端から上方に向かって伸びる２本の破断線３０，３１と、２本の破断線３０，３１のそれぞれの上端を結ぶ１本の破断線３２と、によって画定されている。各破断線３０〜３２は、ミシン目によって構成されている。
【００１６】
図３は、包装容器２の右側面図を示す。包装容器２の右側面は、外側容器１０の外側右側板１４によって構成される。外側右側板１４は、外側正面板１２に直交すると共に外側正面板１２に連続している。外側正面板１２と外側右側板１４との間には、切り欠き部１５ａが形成されている。また、外側右側板１４は、外側背面板１６に直交すると共に外側背面板１６に連続している。外側右側板１４と外側背面板１６との間には、切り欠き部１５ｂが形成されている。外側容器１０に切り欠き部１５ａ，１５ｂが形成されているので、内側容器５０と外側容器１０とを密着させても、外側容器１０から内側容器５０に加えられる力を切り欠き部１５ａ，１５ｂから包装容器２の外部に逃がすことができる。内側容器５０と外側容器１０とを分離することが困難となることを抑制し得る。
【００１７】
図４は、包装容器２の背面図を示す。包装容器２の背面は、外側容器１０の外側背面板１６によって構成される。外側背面板１６は、外側正面板１２に対向しており、破断部１７を有する。破断部１７は、外側背面板１６の下端から上方に向かって伸びる２本の破断線３３，３４によって画定される。各破断線３３，３４は、ミシン目によって構成されている。２本の破断線３３，３４のそれぞれの上端を結ぶ破断線は設けられておらず、２本の破断線３３，３４のそれぞれの上端を結ぶ折曲線４９が設けられている。このために、破断部１７を破断させても、破断部１７が外側背面板１６に接続されている状態が維持される。また、外側背面板１６は、包装容器２の左端（図４の右端）を超える長さを有しており、外側背面板１６のうちの当該左端を超える部分１６ａ（以下では「延長部分１６ａ」と呼ぶ）は、前側に折り曲げられている。
【００１８】
図５は、包装容器２の左側面図を示す。包装容器２の左側面は、外側容器１０の外側左側板１８によって構成される。外側左側板１８は、外側正面板１２に直交すると共に連続している。また、外側左側板１８の外側表面には、外側背面板１６のうちの上記の延長部分１６ａが接着されている。外側左側板１８は、外側背面板１６のうちの上記の延長部分１６ａを除く部分（即ち図４で見える部分）に直交している。
【００１９】
図６は、包装容器２の平面図を示す。包装容器２の上面は、外側容器１０の外側上面板２０ａ，２０ｂ，２０ｃ，２０ｄによって構成される。外側上面板２０ａは、外側正面板１２に直交すると共に連続している。外側上面板２０ｂは、外側右側板１４に直交すると共に連続している。外側上面板２０ｃは、外側背面板１６に直交すると共に連続している。外側上面板２０ｄは、外側左側板１８に直交すると共に連続している。
【００２０】
図７は、包装容器２の底面図を示す。包装容器２の底面は、内側容器５０の底部６０によって構成される。図７に示されるように、外側容器１０の各板１２〜１８によって外側容器１０の下端側に開口が形成されており、当該開口に内側容器５０が収容されている。
【００２１】
続いて、図８及び図９を参照して、外側容器１０及び内側容器５０の構造をより詳細に説明する。図８及び図９では、折曲線が破線で示されている。また、理解の容易化のために、図８及び図９では、接着剤等が塗布される領域にハッチングを付している。
【００２２】
図８は、外側容器１０を成形するための展開体１１を示す。展開体１１は、外側正面板１２と、外側右側板１４と、外側背面板１６を成形するための延長部分１６ａ及び板１６ｂと、外側上面板２０ａ〜２０ｄと、を備える。以下では、展開体１１から外側容器１０を成形する手順を説明する。なお、以下で説明する手順の順序は、適宜入れ替えてもよい。
【００２３】
まず、外側正面板１２が折曲線４０において紙面奥側（以下では単に「奥側」と記載する）に９０度折り曲げられる。次いで、外側右側板１４が折曲線４１において奥側に９０度折り曲げられる。また、板１６ｂが折曲線４２において奥側に９０度折り曲げられ、延長部分１６ａが折曲線４３において奥側に９０度折り曲げられる。そして、延長部分１６ａが外側左側板１８の外側表面に接着剤等によって接着される。これにより、外側正面板１２と外側右側板１４と外側背面板１６と外側左側板１８とが成形される。
【００２４】
外側正面板１２の破断部１３は、折曲線４８によって区画される下端部１３ａと上端部１３ｂとを有する。下端部１３ａは、内側容器５０に接触する。
【００２５】
各外側上面板２０ａ〜２０ｄは、包装容器２に内容物を収容した後に成形される。まず、外側上面板２０ａが折曲線４４において奥側に９０度折り曲げられる。また、外側上面板２０ｃが折曲線４６において奥側に９０度折り曲げられる。次いで、外側上面板２０ｂが折曲線４５において奥側に９０度折り曲げられる。そして、外側上面板２０ｄが折曲線４７において奥側に９０度折り曲げられる。
【００２６】
図９は、内側容器５０を成形するための展開体５１を示す。展開体５１は、内側正面板５２と、内側右側板５４と、内側背面板５６と、内側左側板５８を成形するための延長部分５８ａ及び板５８ｂと、底部６０を成形するための複数枚の板６０ａ〜６０ｆと、を備える。以下では、展開体５１から内側容器５０を成形する手順を説明する。なお、以下で説明する手順の順序は、適宜入れ替えてもよい。
【００２７】
まず、内側正面板５２が折曲線８０において奥側に９０度折り曲げられる。また、内側右側板５４が折曲線８１において奥側に９０度折り曲げられる。次いで、内側背面板５６が折曲線８２において奥側に９０度折り曲げられる。そして、延長部分５８ａが、折曲線８３において奥側に９０度折り曲げられ、内側背面板５６の内側表面に接着剤等によって接着される。これにより、内側容器５０の内側正面板５２と内側右側板５４と内側背面板５６と内側左側板５８とが成形される。
【００２８】
内側正面板５２は、底部６０から内側正面板５２の上端まで伸びる２本の破断線７０，７１によって画定される破断部５３を有する。破断部５３は、外側容器１０の破断部１３の下端部１３ａの内側表面に接着剤等によって接着される。また、２本の破断線７０，７１のそれぞれは、底部６０から内側正面板５２の上端に向かうにつれて内側正面板５２の外側方向（即ち、図９の左右方向）に傾斜している。これにより、破断部５３が破断されることによって形成される開口が、底部６０から上端に向かうにつれて広くなる。これにより、外部から見える内容物の範囲が広くなる。従って、包装容器２の内側容器５０に収容される内容物をより見やすくすることができる。
【００２９】
内側背面板５６は、破断部５７を有する。破断部５７は、底部６０から上方に向かって伸びる２本の破断線７２，７４と、２本の破断線７２，７４のそれぞれの上端を結ぶ１本の破断線７３と、によって画定されている。破断部５７は、外側容器１０の破断部１７の内側表面に接着剤等によって接着される。このために、内側正面板５２の破断部５３と外側正面板１２の破断部１３とが固定されている状態と、内側背面板５６の破断部５７と外側背面板１６の破断部１７とが固定されている状態と、が実現される。従って、内側容器５０と外側容器１０とが意図せず分離することを抑制することができる。そして、内側正面板５２の破断部５３と外側正面板１２の破断部１３と同時的に破断させ、かつ、内側背面板５６の破断部５７と外側背面板１６の破断部１７とを同時的に破断させることによって、外側容器１０を内側容器５０から分離させることができる。
【００３０】
次いで、底部６０が成形される。まず、板６０ａが折曲線８４において奥側に９０度折り曲げられ、板６０ｂが折曲線８５において奥側に９０度折り曲げられる。次いで、板６０ｃが折曲線８６において奥側に９０度折り曲げられる。板６０ｄが板６０ｂに接着剤等によって接着される。また、板６０ｅが折曲線８７において奥側に９０度折り曲げられる。板６０ｆが板６０ａに接着剤等によって接着される。これにより、底部６０が成形される。
【００３１】
なお、図示を省略しているが、底部６０は、板６０ｄを折曲線８９において紙面手前側（以下では単に「手前側」と記載する）に折り曲げ、板６０ｆを折曲線９０において手前側に折り曲げるこれにより折り畳み可能に構成されている。これにより、包装容器２を折り畳んで保管することができるので、ユーザの利便性が向上する。
【００３２】
底部６０の板６０ｅは、内側正面板５２の破断部５３の下端に沿って形成されている孔６１ａを備える。これにより、ユーザは孔６１ａに指を挿入して破断部５３の下端を保持することができるので、破断部５３を容易に破断させることができる。
【００３３】
底部６０の板６０ｂは、内側背面板５６の破断部５７の下端に沿って形成されている孔６１ｂを備える。これにより、ユーザは孔６１ｂに指を挿入して破断部５７の下端を保持することができるので、破断部５７を容易に破断することができる。
【００３４】
なお、上記では、理解の容易化のために、図８及び図９を参照して、外側容器１０を成形する手順と内側容器５０を成形する手順とを別々に説明したが、包装容器２は外側容器１０と内側容器５０とが接着された状態で成形される。展開体１１と展開体５１とが接着された状態で形成されることによって、図１に示す包装容器２が成形される。
【００３５】
続いて、図１０及び図１１を参照して、包装容器２の開封方法を説明する。まず、ユーザは、底部６０の孔６１ａに指を挿入して、内側容器５０の破断部５３及び外側容器１０の破断部１３を保持して、破断部５３を破断するための力を加える。これにより、図１０に示すように、内側容器５０の破断部５３が、破断線７０，７１に沿って破断されると共に、外側容器１０の破断部１３が、破断線３０，３１，３２に沿って破断される。これにより、包装容器２の正面に開口が形成される。
【００３６】
ユーザは、底部６０の孔６１ｂに指を挿入して、内側容器５０の破断部５７と外側容器１０の破断部１７とを保持して、破断部５７を破断するための力を加える。これにより、内側容器５０の破断部５７が、破断線７２，７３，７４に沿って破断されると共に、外側容器１０の破断部１７が破断線３３，３４に沿って破断される。なお、２本の破断線３３，３４のそれぞれの上端を結ぶ破断線が設けられていないので、破断部１７が外側背面板１６に接続されている状態が維持される。各破断部１３，１７，５３，５７を破断させると、外側容器１０と内側容器５０とが分離可能となる。そして、図１１に示すように、外側容器１０が上方に引き上げられることによって、外側容器１０と内側容器５０とが分離する。
【００３７】
図１２は、内側容器５０の斜視図を示す。内側容器５０は、底部６０と、底部６０から上方に伸びる内側正面板５２と、内側右側板５４と、内側背面板５６と、内側左側板５８と、を備える。内側容器５０の内側正面板５２には、破断部５３が破断されることによって開口５２ａが形成されている。開口５２ａは、底部６０から内側正面板５２の上端まで伸びている。これにより、内側容器５０に収容される内容物を、開口５２ａを介して、より見やすくすることができる。
【００３８】
（対応関係）
内側正面板５２、外側正面板１２、内側背面板５６、外側背面板１６、外側右側板１４が、それぞれ、「第１側壁部」、「第２側壁部」、「第３側壁部」、「第４側壁部」、「第５側壁部」の一例である。破断部５３、破断部１３、破断部５７、破断部１７が、それぞれ、「第１破断部」、「第２破断部」、「第３破断部」、「第４破断部」の一例である。
【００３９】
（第２実施例）
続いて、図１３及び図１４を参照して、第２実施例を説明する。図１３は、第２実施例の外側容器１０を成形するための展開体１１１を示す。展開体１１１は、外側正面板１１２と、外側右側板１１４を成形するための延長部分１１４ａ及び板１１４ｂと、外側背面板１１６と、外側左側板１１８と、を備える。外側正面板１１２と外側左側板１１８との間には、切り欠き部１１５ａが形成されている。外側背面板１１６と外側左側板１１８の間には、切り欠き部１１５ｂが形成されている。
【００４０】
外側正面板１１２は、破断部１１３を有する。図１３に示すように、破断部１１３は、第１実施例の破断部１３よりも幅広い構造を有する。破断部１１３は、外側正面板１１２の下端から上方に向かって伸びる２本の破断線１３０，１３１と、２本の破断線１３０，１３１のそれぞれの上端を結ぶ１本の破断線１３２と、によって画定されている。各破断線１３０〜１３２は、ミシン目によって構成されている。破断部１１３は、折曲線１４８によって区画される下端部１１３ａと上端部１１３ｂとを有する。下端部１１３ａは、内側容器５０に接触する。
【００４１】
外側背面板１１６は、破断部１１７を有する。破断部１１７は、外側背面板１１６の下端から上方に向かって伸びる２本の破断線１３３，１３４によって画定される。各破断線１３３，１３４は、ミシン目によって構成されている。２本の破断線１３３，１３４のそれぞれの上端を結ぶ破断線は設けられておらず、２本の破断線１３３，１３４のそれぞれの上端を結ぶ折曲線１４９が設けられている。このために、破断部１１７を破断させても、破断部１１７が外側背面板１１６に接続されている状態が維持される。破断部１１７は、内側容器５０に接触する。
【００４２】
展開体１１１から外側容器を成形する手順を説明する。なお、以下で説明する手順の順序は、適宜入れ替えてもよい。まず、外側正面板１１２が折曲線１４０において奥側に９０度折り曲げられる。次いで、板１１４ｂが折曲線１４１において奥側に９０度折り曲げられ、延長部分１１４ａが折曲線１４２において奥側に９０度折り曲げられる。また、外側背面板１１６が折曲線１４３において奥側に９０度折り曲げられ、延長部分１１４ａが外側背面板１１６の外側表面に接着剤等によって接着される。これにより、外側正面板１１２と外側右側板１１４と外側背面板１１６と外側左側板１１８とが成形される。
【００４３】
各外側上面板１２０ａ〜１２０ｄは、包装容器２に内容物を収容した後に成形される。まず、外側上面板１２０ｂが折曲線１４５において奥側に９０度折り曲げられる。また、外側上面板１２０ｄが折曲線１４７において奥側に９０度折り曲げられる。次いで、外側上面板１２０ａが折曲線１４４において奥側に９０度折り曲げられる。そして、外側上面板１２０ｃが折曲線１４６において奥側に９０度折り曲げられる。
【００４４】
図１４は、第２実施例の内側容器５０を成形するための展開体１５１を示す。展開体１５１は、内側正面板１５２と、内側右側板１５４と、内側背面板１５６を成形するための延長部分１５６ａ及び板１５６ｂと、内側左側板１５８と、底部６０を成形するための複数枚の板１６０ａ〜１６０ｆと、を備える。
【００４５】
内側正面板１５２は、底部６０から内側正面板１５２の上端まで伸びる２本の破断線１７０，１７１によって画定される破断部１５３を有する。図１４に示すように、破断部１５３は、第１実施例の破断部５３よりも幅広い構造を有する。破断部１５３は、外側容器１０の破断部１１３の下端部１１３ａの内側表面に接着剤等によって接着される。また、２本の破断線１７０，１７１のそれぞれは、底部６０から内側正面板１５２の上端に向かうにつれて内側正面板１５２の外側方向（即ち、図１４の左右方向）に傾斜している。
【００４６】
内側背面板１５６の板１５６ｂは、破断部１５７を有する。破断部１５７は、底部６０から上方に向かって伸びる２本の破断線１７２，１７４と、２本の破断線１７２，１７４のそれぞれの上端を結ぶ１本の破断線１７３と、によって画定されている。破断部１５７は、外側容器１０の破断部１１７の内側表面に接着剤等によって接着される。
【００４７】
展開体１５１から内側容器５０を成形する手順を説明する。なお、以下で説明する手順の順序は、適宜入れ替えてもよい。まず、内側正面板１５２が折曲線１８０において奥側に９０度折り曲げられる。また、内側右側板１５４が折曲線１８１において奥側に９０度折り曲げられる。次いで、板１５６ｂが折曲線１８２において奥側に９０度折り曲げられる。そして、延長部分１５６ａが折曲線１８３において奥側に９０度折り曲げられ、内側右側板１５４の内側表面に接着剤等によって接着される。これにより、内側容器５０の内側正面板１５２と内側右側板１５４と内側背面板１５６と内側左側板１５８とが成形される。
【００４８】
次いで、底部６０が成形される。まず、板１６０ａが折曲線１８４において奥側に９０度折り曲げられ、板１６０ｂが折曲線１８５において奥側に９０度折り曲げられる。板１６０ｃが板１６０ａに接着剤等によって接着される。次いで、板１６０ｄが折曲線１８６において奥側に９０度折り曲げられ、板１６０ｅが折曲線１８７において奥側に９０度折り曲げられる。板１６０ｆが板１６０ｄに接着剤等によって接着される。これにより、底部６０が成形される。
【００４９】
底部６０の板１６０ｂは、内側正面板１５２の破断部１５３の下端に沿って形成されている孔１６１ａを備える。これにより、ユーザは孔１６１ａに指を挿入して破断部１５３の下端を保持することができるので、破断部１５３を容易に破断させることができる。
【００５０】
底部６０の板１６０ｅは、内側背面板１５６の破断部１５７の下端に沿って形成されている孔１６１ｂを備える。これにより、ユーザは孔１６１ｂに指を挿入して破断部１５７の下端を保持することができるので、破断部１５７を容易に破断することができる。
【００５１】
本実施例の包装容器２の開封方法を説明する。本実施例においても、ユーザは、内側正面板１５２の破断部１５３と外側正面板１１２の破断部１１３と同時的に破断させ、かつ、内側背面板１５６の破断部１５７と外側背面板１１６の破断部１１７とを同時的に破断させることによって、外側容器１０を内側容器５０から分離させる。これにより、内側容器５０の内側正面板１５２には、底部６０から内側正面板１５２の上端まで伸びる開口が形成される。従って、内側容器５０に収容される内容物を、当該開口を介して、より見やすくすることができる。
【００５２】
（対応関係）
内側正面板１５２、外側正面板１１２、内側背面板１５６、外側背面板１１６、外側左側板１１８が、それぞれ、「第１側壁部」、「第２側壁部」、「第３側壁部」、「第４側壁部」、「第５側壁部」の一例である。破断部１５３、破断部１１３、破断部１５７、破断部１１７が、それぞれ、「第１破断部」、「第２破断部」、「第３破断部」、「第４破断部」の一例である。
【００５３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００５４】
（１）内側正面板５２の２本の破断線７０，７１は、底部６０から内側正面板５２の上端に向かうにつれて内側正面板５２の外側方向に傾斜していなくてもよい。例えば、２本の破断線７０，７１は、底部６０から内側正面板５２の上端まで底部６０に対して垂直に伸びていてもよい。
【００５５】
（２）外側背面板１６が破断部１７を有していなくてもよく、内側背面板５６が破断部５７を有していなくてもよい。本変形例では、「第３の破断部」、「第４の破断部」が省略可能である。
【００５６】
（３）切り欠き部１５ａ，１５ｂが形成されていなくてもよい。本変形例では、「切り欠き部」が省略可能である。
【００５７】
（４）底部６０の孔６１ａ及び６１ｂが形成されていなくてもよい。本変形例では、「孔」が省略可能である。
【００５８】
（５）上記の実施例では、外側正面板１２の破断部１３は、下端部１３ａと上端部１３ｂとを有していたが、これに限らず、例えば、下端部１３ａのみを有していてもよい。即ち、外側正面板１２の破断部１３は、少なくとも内側正面板５２の破断部５３と接着する部分を有していればよい。
【００５９】
（６）包装容器２は、下記の手順で成形されてもよい。まず、展開体１１（図８参照）と展開体５１（図９参照）とが接着される。即ち、内側正面板５２の破断部５３と外側容器１０の破断部１３（即ち、下端部１３ａ）とが接着され、内側背面板５６の破断部５７と外側背面板１６の破断部１７とが接着される。次いで、板６０ａ，６０ｂ，６０ｃ，６０ｅが、それぞれ、折曲線８４，８５，８６，８７において奥側に１８０度折り曲げられ、板６０ｄ，６０ｆが、それぞれ、折曲線８９，９０において手前側に１８０度折り曲げられる。また、外側正面板１２、内側正面板５２が、それぞれ、折曲線４０，８０において奥側に１８０度折り曲げられる。そして、板６０ｆが板６０ａに接着される。また、外側背面板１６の板１６ｂ、内側背面板５６が、それぞれ、折曲線４２，８２において奥側に１８０度折り曲げられる。そして、外側背面板１６の延長部分１６ａが外側左側板１８の外側表面に接着され、内側左側板５８の延長部分５８ａが内側背面板５６の内側表面に接着され、板６０ｄが板６０ｂに接着される。この結果、包装容器２が折り畳まれた状態で成形される。なお、上記した手順の順序も、適宜入れ替えてもよい。
【００６０】
（７）包装容器２の形状は、直方体に限られず、例えば、立方体等であってもよい。
【００６１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００６２】
２：包装容器
１０：外側容器
１１，５１，１１１，１５１：展開体
１２，１１２：外側正面板
１３，１７，５３，５７，１１３，１１７，１５３，１５７：破断部
１３ａ，１１３ａ：下端部
１３ｂ，１１３ｂ：上端部
１４，１１４：外側右側板
１５ａ，１５ｂ，１１５ａ，１１５ｂ：切り欠き部
１６，１１６：外側背面板
１６ａ，５８ａ，１１４ａ，１５６ａ：延長部分
１６ｂ，５８ｂ，６０ａ〜６０ｆ，１１４ｂ，１５６ｂ，１６０ａ〜１６０ｆ：板
１８，１１８：外側左側板
２０ａ〜２０ｄ，１２０ａ〜１２０ｄ：外側上面板
３０〜３４，７０〜７４，１３０〜１３１，１７０〜１７４：破断線
４０〜４９，８０〜９０，１４０〜１４９，１８０〜１８７：折曲線
５０：内側容器
５２，１５２：内側正面板
５２ａ：開口
５４，１５４：内側右側板
５６，１５６：内側背面板
５８，１５８：内側左側板
６０：底部
６１ａ，６１ｂ，１６１ａ，１６１ｂ：孔
【図１】
2020045164.tif 000003
【図２】
2020045164.tif 000004
【図３】
2020045164.tif 000005
【図４】
2020045164.tif 000006
【図５】
2020045164.tif 000007
【図６】
2020045164.tif 000008
【図７】
2020045164.tif 000009
【図８】
2020045164.tif 000010
【図９】
2020045164.tif 000011
【図１０】
2020045164.tif 000012
【図１１】
2020045164.tif 000013
【図１２】
2020045164.tif 000014
【図１３】
2020045164.tif 000015
【図１４】
2020045164.tif 000016